(57)【要約】【課題】滑り摩擦に起因する回転トルクの増大を抑制できると共に比較的大きな異物の侵入を防止することのできる回転軸用シールおよび軸受装置を提供する。【解決手段】ハウジング内に塵埃などの粉塵が侵入するのを防止する防塵用シール（回転軸用シール）１７のブラシ保持リング１７１の内側周縁部１７１ａと回転軸Ｓとの間にラビリンスシール１８を形成し、比較的大きな異物がハウジング内に侵入することをラビリンスシール１８によって防止するようにした。【選択図】図３
2007139045.tif 000002
【特許請求の範囲】
【請求項１】
ブラシ保持リングと、該ブラシ保持リングに保持された多数本のブラシとからなり、該ブラシの先端部を回転軸の外周面に接触させてシールする回転軸用シールであって、前記ブラシ保持リングの少なくとも片側をシール方向に延長して前記回転軸と前記ブラシ保持リングとの間にラビリンスシールを形成したことを特徴とする回転軸用シール。
【請求項２】
請求項１記載の回転軸用シールを備えたことを特徴とする軸受装置。
【発明の詳細な説明】
【技術分野】
【０００１】
本発明は、ボールねじ軸などの回転軸の外周をシールする回転軸用シールに関する。また、本発明はボールねじ軸などの回転軸の端部を支持する軸受として用いられる軸受装置に関する。
【背景技術】
【０００２】
従来、ボールねじ軸などの回転軸の端部は、例えば図４に示すような軸受装置によって支持されており、同図に示される軸受装置１は、ハウジング２、組合せ転がり軸受３、内輪押えナット５、スリーブ６及び外輪押えリング７を備えている。
ハウジング２は回転軸Ｓの外径より大きい内径で筒状に形成されており、このハウジング２内に収容された組合せ転がり軸受３は、二つの転がり軸受４から構成されている。これらの転がり軸受４は内輪４ａ及び外輪４ｂをそれぞれ有しており、これら転がり軸受４の内輪４ａを回転軸Ｓの大径部端面Ｓ１に押圧する内輪押えナット５は回転軸Ｓの端部に螺嵌されている。
【０００３】
スリーブ６は図中右側の転がり軸受４と内輪押えナット５との間に介装されており、ハウジング２の内周面に形成された環状段部２ａに転がり軸受４の外輪４ｂを押圧する外輪押えリング７は、図示しない複数本のボルトによりハウジング２の図中右側端面に固定されている。
このような軸受装置は、切削粉や塵埃などの粉塵がハウジング２内に入り込むと、ハウジング２内に入り込んだ粉塵によって転がり軸受４の転がり性能が阻害され、回転軸Ｓの回転トルクを増大させたりする可能性がある。そこで、従来においては、オイルシール８（図４参照）を回転軸Ｓの外周面とハウジング２の内周面との間に設けると共にスリーブ６の外周面と外輪押えリング７の内周面との間に設けることによって、切削粉や塵埃などの粉塵がハウジング２内に侵入するのを防止するようにしている。
【発明の開示】
【発明が解決しようとする課題】
【０００４】
しかしながら、切削粉や塵埃などの粉塵がハウジング内に侵入するのを防止する手段としてオイルシールを用いると、回転軸やスリーブなどの相手部材とオイルシールとの接触部に滑り摩擦が発生する。このため、回転軸Ｓを回転させるのに比較的大きな回転トルクを必要とし、回転軸Ｓを駆動するモータとして出力トルクの大きいモータを選定する必要があるため、エネルギー消費量の増大を招くという問題があった。
本発明は上述した問題点に着目してなされたものであり、その目的は、滑り摩擦に起因する回転トルクの増大を抑制できると共に比較的大きな異物の侵入を防止することのできる回転軸用シールおよび軸受装置を提供することにある。
【課題を解決するための手段】
【０００５】
上記の目的を達成するために、本発明のうち請求項１の発明に係る回転軸用シールは、ブラシ保持リングと、該ブラシ保持リングに保持された多数本のブラシとからなり、該ブラシの先端部を回転軸の外周面に接触させてシールする回転軸用シールであって、前記ブラシ保持リングの少なくとも片側をシール方向に延長して前記回転軸と前記ブラシ保持リングとの間にラビリンスシールを形成したことを特徴とする。
本発明のうち請求項２の発明に係る軸受装置は、請求項１記載の回転軸用シールを備えたことを特徴とする。
【発明の効果】
【０００６】
請求項１及び２の発明では、ブラシ保持リングの少なくとも片側をシール方向に延長して回転軸とブラシ保持リングとの間にラビリンスシールを形成したことにより、切削屑などの比較的大きな異物の侵入を防止することができる。また、相手部材との接触部に滑り摩擦が発生しなくなるので、滑り摩擦に起因する回転トルクの増大を抑制することができる。
【発明を実施するための最良の形態】
【０００７】
以下、図１〜図３を参照して本発明の実施の形態を説明する。
図１において符号１０は本発明の一実施形態である軸受装置であり、この軸受装置１０は、ハウジング１１、組合せ転がり軸受１２、内輪押えナット１４、スリーブ１５、外輪押えリング１６及び防塵用シール１７を備えている。
ハウジング１１は回転軸Ｓの外径より大きい内径で筒状に形成されており、このハウジング１１内に収容された組合せ転がり軸受１２は玉軸受などの二つの転がり軸受１３から構成されている。これらの転がり軸受１３は内輪１３ａ及び外輪１３ｂをそれぞれ有しており、これら転がり軸受１３の内輪１３ａを回転軸Ｓの大径部端面Ｓ１に押圧する内輪押えナット１４は回転軸Ｓの端部に螺嵌されている。
【０００８】
スリーブ１５は図中右側の転がり軸受１３と内輪押えナット１４との間に介装されており、ハウジング１１の内周面に形成された環状段部１１ａに転がり軸受１３の外輪１３ｂを押圧する外輪押えリング１６は、図示しない複数本のボルトによりハウジング１１の図中右側端面に固定されている。
塵埃などの粉塵がハウジング１１内に侵入するのを防止する防塵用シール（回転軸用シール）１７は、回転軸Ｓの外周面とハウジング１１の内周面との間に設けられていると共に、スリーブ１５の外周面と外輪押えリング１６の内周面との間に設けられている。
【０００９】
また、防塵用シール１７は金属からなるブラシ保持リング１７１（図２及び図３参照）と、このブラシ保持リング１７１に保持された多数本のブラシ１７２とからなり、これらブラシ１７２の先端部を回転軸Ｓの外周面やスリーブ１５の外周面に接触させて粉塵の侵入を防止するようになっている。
防塵用シール１７のブラシ保持リング１７１はシール方向（ブラシ保持リング１７１の内径方向）に延伸する内側周縁部１７１ａ（図３参照）を片側に有しており、この内側周縁部１７１ａと回転軸Ｓとの間には、切削屑などの比較的大きな異物がハウジング１１内に侵入するのを防ぐために、０．３〜０．０５ｍｍ程度の隙間を持つラビリンスシール１８が形成されている。
【００１０】
なお、防塵用シール１７の各ブラシ１７２は例えばナイロンから形成され、その太さは０．０８〜０．１０ｍｍ程度となっている。また、防塵用シール１７のブラシ保持リング１７１には、防塵用シール１７の外周面をハウジング１１の内周面や外輪押えリング１６の内周面に密着させるために、スリット１７３（図２参照）が形成されている。
上述した本発明の一実施形態では、ブラシ保持リング１７１の内側周縁部１７１ａと回転軸Ｓとの間にラビリンスシール１８が形成されているため、切削屑などの比較的大きな異物がハウジング１１内に侵入することを防止することができる。
【００１１】
また、ハウジング１１内への粉塵の侵入を防止する防塵用シール１７をブラシ接触型防塵用シールとしたことにより、回転軸Ｓやスリーブ１５などの相手部材と防塵用シール１７との接触部に滑り摩擦が発生しなくなるので、滑り摩擦に起因する回転トルクの増大を抑制することができる。
なお、上述した本発明の一実施形態では、ブラシ保持リング１７１の片側の内側周縁部１７１ａをシール方向（ブラシ保持リング１７１の内径方向）に延設してラビリンスシール１８を形成したが、ブラシ保持リング１７１の両側の内側周縁部をシール方向（ブラシ保持リング１７１の内径方向）に延設してラビリンスシール１８を形成してもよい。
【図面の簡単な説明】
【００１２】
【図１】本発明に係る回転軸用シールを軸受装置に適用した一実施形態を示す図である。
【図２】図１に示す防塵用シールの正面図である。
【図３】図２に示す防塵用シールの断面図である。
【図４】回転軸の端部を支持する従来の軸受装置の一例を示す断面図である。
【符号の説明】
【００１３】
Ｓ  回転軸
１１  ハウジング
１２  組合せ転がり軸受
１３  転がり軸受
１３ａ  内輪
１３ｂ  外輪
１４  内輪押えナット
１５  スリーブ
１６  外輪押えリング
１７  防塵用シール（回転軸用シール）
１７１  ブラシ保持リング
１７２  ブラシ
１８  ラビリンスシール
【図１】
2007139045.tif 000003
【図２】
2007139045.tif 000004
【図３】
2007139045.tif 000005
【図４】
2007139045.tif 000006